(57)【要約】【課題】作業効率を向上させることができる容器の一体化キット容器の一体化キットを提供する。【解決手段】一端が閉塞されている容器の複数と、貫通孔を有し、前記容器を保持可能な保持部を複数有する容器保持具と、を有する容器の一体化キットであって、前記容器が、前記容器保持具における前記保持部で保持された際、前記容器保持具における前記貫通孔の外縁よりも外側に突出するように設けられた、第１の突出部と、前記第１の突出部と離接して設けられ、前記第１の突出部と共に前記容器保持具を挟持可能な第２の突出部と、を有する容器の一体化キットである。【選択図】図２Ａ
2019162579.tif 000002
【特許請求の範囲】
【請求項１】
一端が閉塞されている容器の複数と、
貫通孔を有し、前記容器を保持可能な保持部を複数有する容器保持具と、
を有する容器の一体化キットであって、
前記容器が、前記容器保持具における前記保持部で保持された際、
前記容器保持具における前記貫通孔の外縁よりも外側に突出するように設けられた、
第１の突出部と、
前記第１の突出部と離接して設けられ、前記第１の突出部と共に前記容器保持具を      挟持可能な第２の突出部と、
を有することを特徴とする容器の一体化キット。
【請求項２】
前記第２の突出部が、前記第１の突出部よりも前記容器における一端開口部に近い位置に設けられた請求項１に記載の容器の一体化キット。
【請求項３】
一端が閉塞されている容器の複数と、
貫通孔を有し、前記容器を保持可能な保持部を複数有する容器保持具と、
を有する容器の一体化キットであって、
前記容器が、前記容器保持具における前記保持部に対し、回動により着脱可能にする係合部を有することを特徴とする容器の一体化キット。
【請求項４】
一端が閉塞されている容器の複数と、
貫通孔を有し、前記容器を保持可能な保持部を複数有する容器保持具と、
を有する容器の一体化キットであって、
前記容器が、前記容器保持具における前記保持部に対し、嵌合により着脱可能にする嵌合部を有することを特徴とする容器の一体化キット。
【請求項５】
前記容器における閉塞された一端の形状が、略ドーム形状である請求項１から４のいずれかに記載の容器の一体化キット。
【請求項６】
前記容器が、マイクロプレートに用いられるウェル容器である請求項１から５のいずれかに記載の容器の一体化キット。
【請求項７】
前記容器保持具が、平板状プレートである請求項１から６のいずれかに記載の容器の一体化キット。
【請求項８】
前記容器保持具における複数の前記保持部が列状に配された請求項１から７のいずれかに記載の容器の一体化キット。
【請求項９】
前記容器保持具が、
前記容器を保持する際、前記容器における一端開口部を閉塞可能なシール手段を更に有する請求項１から８のいずれかに記載の容器の一体化キット。
【請求項１０】
前記容器が、その内部に収容される収容物に関する情報を表示可能な情報表示手段を更に有する請求項１から９のいずれかに記載の容器の一体化キット。
【請求項１１】
前記容器保持具が、前記保持部に保持される前記容器に収容される収容物に関する情報を表示可能な情報表示手段を更に有する請求項１から１０のいずれかに記載の容器の一体化キット。
【請求項１２】
請求項１から１１のいずれかに記載の容器の一体化キットに用いられることを特徴とする容器。
【請求項１３】
前記容器の周側面よりも外側に突出するように設けられた、
第１の突出部と、
前記第１の突出部と離接して設けられた第２の突出部と、
を有する請求項１２に記載の容器。
【請求項１４】
請求項１から１１のいずれかに記載の容器の一体化キットに用いられることを特徴とする容器保持具。
【発明の詳細な説明】
【技術分野】
【０００１】
本発明は、容器の一体化キット、並びに、それに用いる容器及び容器保持具に関する。
【背景技術】
【０００２】
近年、リアルタイムＰＣＲは、遺伝子検査の定性、定量においてますます重要になってきており、その性能評価、特に装置間、施設間の性能評価は重要である。
このため、ＰＣＲの作業効率を向上させる目的で、様々な提案がされている（例えば、特許文献１及び２参照）。
【０００３】
リアルタイムＰＣＲでは、核酸コピー数が段階的に変化する試薬で作成した検量線で定量を行う。作業やデータ管理のしやすさから、単一又は１列配置された丸底やＶ底等のウェルなどではなく、作業台などに載置できる自立可能なマイクロプレートが一般的に使われている。定量用の低濃度領域の検量線を作成するための、絶対コピー数が既知の低コピー数核酸試薬は、インクジェット等を用いてマイクロプレートに分注するが、分注のばらつきにより、コピー数が不合格のウェルが存在する。９６以上のウェルを持つマイクロプレートへの分注に当たっては、不合格のウェルが多数存在する確率が高くなり、歩留まりの低下につながる。そのため、独立のウェルに分注し、合格のウェルを組み合わせて１枚のマイクロプレートにすることが可能な一体化キットが求められている。更に、市販のＰＣＲ反応用サーマルサイクラーでは、独自の形をするマイクロプレートの使用を指定するため、一体化キットのウェルの保持具の形を選択できるようにすることで各市販のＰＣＲ反応用サーマルサイクラーに対応可能にする一体化キットが求められている。
【０００４】
また、リアルタイムＰＣＲでの検査は２つ課題がある。１つ目は対象によって必要な検量線の濃度の変化によって、検量線作成に使う核酸のコピー数の組み合わせを変える必要がある。必要な組み合わせのマイクロプレートを注文し、入手するのに時間がかかるため、実験効率が低下する。そのため、手持ちのコピー数別のウェルを自由に組み合わせて１枚のマイクロプレートにすることが求められている。２つ目の課題は、リアルタイムＰＣＲ検査は検査中に試薬を９５℃前後に加熱するが、蒸発による試薬ロスを防ぐため、マイクロプレートのウェルの開口にシールを均一にしっかり貼る必要がある。作業自体が手間であり、手技によってシールの密着具合がばらつくため、マイクロプレートにウェルを装着するとシールが同時に且つ均一にしっかり貼られる手段が求められている。
従って、ウェルを１個単位で任意に組み合わせし、利用するＰＣＲ反応用サーマルサイクラーに合わせた形を持っているシールと一体化した平板に装着することで、ウェルを１個単位で組み合わせることが可能な上、任意の市販のＰＣＲ反応用サーマルサイクラーで検査することが可能で、且つシーリング作業なしで均一にシーリングすることが可能である一体化キットが求められている。このキットは気軽に、簡単に一体化させることが重要であり、そのためウェルの装着が手作業でも簡単に行える一体化キットが求められている。
【発明の概要】
【発明が解決しようとする課題】
【０００５】
本発明は、作業効率を向上させることができる容器の一体化キットを提供することを目的とする。
【課題を解決するための手段】
【０００６】
課題を解決するための手段としての本発明の容器の一体化キットは、一端が閉塞されている容器の複数と、貫通孔を有し、前記容器を保持可能な保持部を複数有する容器保持具と、を有する容器の一体化キットであって、前記容器が、前記容器保持具における前記保持部で保持された際、前記容器保持具における前記貫通孔の外縁よりも外側に突出するように設けられた、第１の突出部と、前記第１の突出部と離接して設けられ、前記第１の突出部と共に前記容器保持具を挟持可能な第２の突出部と、を有する。
【発明の効果】
【０００７】
本発明によれば、作業効率を向上させることができる容器の一体化キットを提供することができる。
【図面の簡単な説明】
【０００８】
【図１Ａ】図１Ａは、本発明の容器の一体化キットの一例を示す概略図である。
【図１Ｂ】図１Ｂは、本発明の容器の一体化キットの一例を示す概略図である。
【図２Ａ】図２Ａは、第１の実施形態に係る容器の一体化キットにおける側面の一部を示す概略側面図である。
【図２Ｂ】図２Ｂは、第１の実施形態に係る容器の一体化キットにおける側面の一部を示す概略側面図である。
【図３】図３は、第１の実施形態に係る容器の一体化キットの変形例を示す概略側面図である。
【図４Ａ】図４Ａは、第２の実施形態に係る容器の一体化キットにおける側面の一部を示す概略側面図である。
【図４Ｂ】図４Ｂは、第２の実施形態に係る容器の一体化キットにおける側面の一部を示す概略側面図である。
【図５Ａ】図５Ａは、第３の実施形態に係る容器の一体化キットにおける側面の一部を示す概略側面図である。
【図５Ｂ】図５Ｂは、第３の実施形態に係る容器の一体化キットにおける側面の一部を示す概略側面図である。
【図６Ａ】図６Ａは、第４の実施形態に係る容器の一体化キットにおける側面の一部を示す概略側面図である。
【図６Ｂ】図６Ｂは、第４の実施形態に係る容器の一体化キットにおける側面の一部を示す概略側面図である。
【図７Ａ】図７Ａは、第４の実施形態の係合構造を示す拡大上面図である。
【図７Ｂ】図７Ｂは、第４の実施形態の係合構造を示す拡大上面図である。
【図８Ａ】図８Ａは、第５の実施形態に係る容器の一体化キットにおける側面の一部を示す概略側面図である。
【図８Ｂ】図８Ｂは、第５の実施形態に係る容器の一体化キットにおける側面の一部を示す概略側面図である。
【図９】図９は、第５の実施形態に係る容器の一体化キットの変形例における側面の一部を示す概略側面図である。
【図１０Ａ】図１０Ａは、第６の実施形態に係る容器の一体化キットにおける側面の一部を示す概略側面図である。
【図１０Ｂ】図１０Ｂは、第６の実施形態に係る容器の一体化キットにおける側面の一部を示す概略側面図である。
【発明を実施するための形態】
【０００９】
（容器の一体化キット）
本発明の容器の一体化キットは、一端が閉塞されている容器の複数と、貫通孔を有し、前記容器を保持可能な保持部を複数有する容器保持具とを有し、更に必要に応じて、その他の手段を有する。
本発明の容器の一体化キットの容器は、容器保持具における保持部で保持された際、容器保持具における貫通孔の外縁よりも外側に突出するように設けられた、第１の突出部と、第１の突出部と離接して設けられ、第１の突出部と共に容器保持具を挟持可能な第２の突出部とを有する。
【００１０】
本発明の容器の一体化キットは、従来技術のような、プロセスチューブなどを保持具の貫通孔に上から差し込むキットでは、作業台にキットを載置すると保持具が脱落しやすいため取扱いが難しく、作業の効率が低下する場合があるという知見に基づくものである。
また、本発明の容器の一体化キットは、従来技術のような、ウェルの外側周面における２つのリブがいずれも保持具の貫通孔の内径よりも小さいものでは、装着には細かい力の制御が必要となり、手作業での装着時はウェルが所定の位置に装着することが困難な場合があるという知見に基づくものである。
さらに、具体的には、リアルタイムＰＣＲ（Ｐｏｌｙｍｅｒａｓｅ  Ｃｈａｉｎ  Ｒｅａｃｔｉｏｎ）において、検量線を作成するために試薬の濃度やサンプル数を段階的に変化させたウェルを含むマイクロプレートを作成する場合を考える。この場合、核酸コピー数が１〜１００のような極低濃度の試薬を稀釈により高精度に調製することは困難である。このため、本発明の容器の一体化キットは、濃度の組合せを指定したマイクロプレートを作成するよりも、それぞれ既知の濃度の試薬が予めインクジェットによる分注等の方法で入れてあるウェルを組み合わせてマイクロプレートを作成したほうが作業効率を向上できるという知見に基づくものである。
【００１１】
本発明の容器の一体化キットは、目的に応じて、容器保持具の貫通孔に差し込まれた複数の容器を保持することにより複数の容器を一体化させることができるため、容器の取扱いを容易にさせ、作業の効率を向上させることができる。
また、本発明の容器の一体化キットは、それぞれ既知の濃度の試薬が予め入れてあるウェルを組み合わせてマイクロプレートを作成することができるため、作業効率を向上させることができる。
【００１２】
以下、図面を参照しながら、発明を実施するための形態について説明する。各図面において、同一構成部分には同一符号を付し、重複した説明を省略する場合がある。
以下の各実施形態では、本発明の容器の一体化キットをバイオの分野で用いる場合を考える。なお、本発明の容器の一体化キットは、バイオの分野に限らず、容器に対して適用することができる。
【００１３】
（第１の実施形態）
図１Ａ及び図１Ｂは、本発明の容器の一体化キットの一例を示す概略図である。
図１Ａに示すように、第１の実施形態に係る容器の一体化キット１は、容器としてのウェル１０の複数と、容器保持具としてのプレート２０とを有し、図１Ａ中矢印が示す方向から、ウェル１０の複数がプレート２０の貫通孔２０ａに差し込まれる。
なお、本実施形態では、便宜上、図１Ａ中矢印が示す方向を上、図１Ａ中矢印が示す方向とは逆の方向（鉛直方向）を下とする。また、鉛直方向を法線とする面を水平面とする。
【００１４】
ウェル１０は、マイクロプレートに用いられる容器であって、一端が閉塞され、形状、すなわち略ドーム形状を有する。また、ウェル１０は、上部に開口部１０ａを有し、底部がいわゆるＶ底であるため自立ができない。
ウェル１０における閉塞された一端の形状としては、特に制限はなく、目的に応じて適宜選択することができ、略ドーム形状などが挙げられる。略ドーム形状としては、例えば、ウェル１０の底部がいわゆる丸底、Ｕ底、Ｖ底等である形状などが挙げられる。また、ウェル１０がいわゆる平底で自立したとしても、ウェル１０自体が小さく軽いため作業がしにくい場合がある。
【００１５】
ウェル１０の数量としては、複数であれば特に制限はなく、目的に応じて適宜選択することができるが、ウェル１０の底部がいわゆる平底であれば２以上が好ましく、ウェル１０の底部が自立しにくい形状、いわゆる丸底などであれば３以上が好ましい。
【００１６】
本実施形態では、ウェル１０には、目的の塩基配列の数が特定された核酸が収容されている。複数のウェル１０には、絶対コピー数が既知の目的の塩基配列を有する核酸が充填されており、絶対コピー数を段階的に変化するようにしてもよい。これにより、予め絶対コピー数が既知の核酸を有する複数のウェル１０を提供でき、ＰＣＲの検量線を作成する際に必要な組み合わせを選択できる。
【００１７】
ウェル１０の容積としては、特に制限はなく、目的に応じて適宜選択することができるが、例えば、一般的な核酸検査装置に用いられる試料量を考慮すると、１０μＬ以上１,０００μＬ以下が好ましい。
ウェル１０の材質としては、特に制限はなく、目的に応じて適宜選択することができ、例えば、ポリスチレン、ポリプロピレン、ポリエチレン、フッ素樹脂、アクリル樹脂、ポリカーボネート、ポリウレタン、ポリ塩化ビニル、ポリエチレンテレフタレートなどが挙げられる。
【００１８】
プレート２０は、９６個の貫通孔２０ａが複数の列状に配されている平板状プレートである。なお、本実施形態では、プレート２０は、９６個の貫通孔２０ａが複数の列状に配されている平板状プレートとしたが、これに限ることなく、貫通孔数と貫通孔の配置については目的に応じて適宜選択することができる。
プレート２０は、貫通孔２０ａの下から差し込まれたウェル１０を貫通孔２０ａの周縁部２０ｂで保持する。換言すると、プレート２０は、ウェル１０の複数を保持して自立可能化するためのプレート２０であって、貫通孔２０ａを有し、ウェル１０を保持可能な保持部としての周縁部２０ｂを複数有する。
【００１９】
プレート２０の形状、大きさ、構造としては、特に制限はなく、目的に応じて適宜選択することができる。
プレート２０の材質としては、特に制限はなく、目的に応じて適宜選択することができ、例えば、半導体、セラミック、金属、ガラス、石英ガラス、プラスチックなどが挙げられる。これらの中でも、作製が容易な点からプラスチックが好ましい。
【００２０】
図１Ｂに示すように、プレート２０の貫通孔２０ａは、下から差し込まれた複数のウェル１０を保持する。
これにより、本発明の容器の一体化キット１は、ウェル１０を、プレート２０の貫通孔２０ａに複数差し込んで、貫通孔２０ａの周縁部２０ｂでウェル１０を保持することにより、複数のウェル１０を一体化することができる。これにより、本発明の容器の一体化キット１は、複数のウェル１０の取扱いを容易にすることができるため、作業の効率を向上できる。
【００２１】
図２Ａ及び図２Ｂは、第１の実施形態に係る容器の一体化キットにおける側面の一部を示す概略側面図である。
図２Ａに示すように、ウェル１０は、上部の外面において、第１の突出部１１と、第２の突出部１２とを有する。
【００２２】
第１の突出部１１は、プレート２０における周縁部２０ｂで保持された際、プレート２０における貫通孔２０ａの外縁よりも外側に突出するように設けられている。また、第１の突出部１１は、プレート２０の貫通孔２０ａに対してウェル１０を下から差し込みやすいように傾斜を設けている。
なお、プレート２０の貫通孔２０ａにウェル１０を差し込む際に位置合わせしやすくするために、図３に示すように、貫通孔２０ａのプレート２０下面の径をプレート２０上面の径よりも大きくした傾斜付き周縁部２０ｃとしてもよい。
【００２３】
第２の突出部１２は、第１の突出部１１よりもウェル１０における開口部１０ａに近い位置に、第１の突出部１１と離接して設けられ、第１の突出部１１と共にプレート２０の周縁部２０ｂを挟持可能である。すなわち、第１の突出部１１が設けられている水平面と第２の突出部１２が設けられている水平面との間隔をプレート２０の厚み程度とし、第１の突出部１１及び第２の突出部１２がプレート２０の周縁部２０ｂを挟持する。つまり、周縁部２０ｂは、ウェル１０を保持可能な保持部として機能する。
これにより、第１の突出部１１及び第２の突出部１２は、プレート２０からウェル１０を脱落させないようにすることが可能となる。
【００２４】
また、第２の突出部１２の先端を通る円の直径としては、貫通孔２０ａの直径よりも大きいことが好ましい。第２の突出部１２の先端を通る円の直径が貫通孔２０ａの直径よりも大きいと、ウェル１０をプレート２０の下から貫通孔２０ａに差し込むと、第１の突出部が貫通孔に突き当たることにより、ウェル１０が保持されずに突き抜けてしまうことを防ぐことができる。
【００２５】
第１の突出部１１及び第２の突出部１２としては、それぞれ１又は複数の突出部を有していてもよいが、それぞれ複数の突出部を有することが好ましい。第１の突出部１１及び第２の突出部１２がそれぞれ複数の突出部を有する場合には、それぞれ１の突出部が設けられている水平面上のウェル１０の外面に他の突出部を設けるようにする。これにより、第１の突出部１１及び第２の突出部１２が貫通孔２０ａの周縁部２０ｂを挟持したときに、プレート２０の面に対しウェル１０の軸方向が直交するようになる。
【００２６】
第１の突出部１１及び第２の突出部１２の形状、構造、大きさ、材質については、特に制限はなく、目的に応じて適宜選択することができる。
【００２７】
プレート２０は、図２Ｂに示すように、貫通孔２０ａの下から差し込まれたウェル１０を貫通孔２０ａの周縁部２０ｂで保持する。換言すると、プレート２０は、ウェル１０の複数を保持して自立可能化するためのプレート２０であって、貫通孔を有し、ウェル１０を保持可能な保持部を複数有する。
【００２８】
このように、第１の実施形態に係る容器の一体化キット１は、目的に応じて、プレート２０の貫通孔２０ａに差し込まれた複数のウェル１０を保持することにより複数のウェル１０を一体化させることができる。このため、第１の実施形態に係る容器の一体化キット１は、容器の取扱いを容易にさせ、作業の効率を向上させることができ、データ管理のしやすさを保証できる。
また、第１の実施形態に係る容器の一体化キット１は、第１の突出部が容器保持具における貫通孔の外縁よりも外側に突出するように設けられているため、容器を貫通孔に差し込むと第１の突出部が貫通孔に突き当たることにより、所定の位置で容器を保持することができる。
【００２９】
（第２の実施形態）
第２の実施形態の容器の一体化キット１は、図４Ａ及び図４Ｂに示すように、第１の実施形態におけるウェル１０の第２の突出部１２の形状を環状にした環状突出部１３に変更した。これにより、プレート２０の周縁部２０ｂに対し、第１の実施形態では第１の突出部１１の当接点及び第２の突出部１２の当接点で挟持するが、第２の実施形態では第１の突出部１１の当接点及び環状突出部１３の当接「面」で挟持する。換言すると、第１の実施形態では点と点でプレート２０の周縁部２０ｂを挟持するが、第２の実施形態では点と「面」でプレート２０の周縁部２０ｂを挟持することから、ウェル１０をより安定して保持することができる。また、ウェル１０を複数差し込んだプレート２０を作業台などに載置したときに、プレート２０を環状突出部１３の当接面で支えることができるため、ぐらつきにくく、より安定した状態にすることができる。
【００３０】
環状突出部１３の直径は、貫通孔２０ａの直径よりも大きいことが好ましい。環状突出部１３の直径が貫通孔２０ａの直径よりも大きいと、ウェル１０をプレート２０の下から貫通孔２０ａに差し込む際に、ウェル１０が突き抜けてしまうことを防ぐことができる。
【００３１】
このように、第２の実施形態に係る容器の一体化キットは、第１の実施形態のウェル１０の第２の突出部１２の形状を環状にした環状突出部１３とすることにより、ウェル１０が点と面でプレート２０の周縁部２０ｂを挟持する。このため、第２の実施形態に係る容器の一体化キットは、第１の実施形態よりもウェル１０をより安定して保持することができる。
【００３２】
（第３の実施形態）
第３の実施形態の容器の一体化キットは、従来技術では、例えば、リアルタイムＰＣＲでは検査で加熱する際に蒸発による試薬ロスを防ぐため、ウェルの開口部をシールで密封する作業が手間であるという知見に基づくものである。
第３の実施形態の容器の一体化キットは、図５Ａ及び図５Ｂに示すように、第１の実施形態に加えて、プレート２０の上にシール手段としてのシール３０を積層し、更にシール３０の上にカバープレート４０を積層してシール３０を固定する。すなわち、第３の実施形態のプレート２０は、ウェル１０を保持する際、ウェル１０における一端開口部を閉塞可能なシール手段を有する。
なお、本実施形態では、シールをカバープレートで固定したが、これに限ることなく、例えば、接着剤による固定、杭又はねじなどによる複数点での固定などが挙げられる。
【００３３】
シール３０としては、特に制限はなく、目的に応じて適宜選択することができる。
シール３０の形状、構造、大きさとしては、特に制限はなく、目的に応じて適宜選択することができる。
シール３０の色としては、特に制限はなく、目的に応じて適宜選択することができるが、ＰＣＲの蛍光測定を妨げない点から無色透明が好ましい。
シール３０の材質としては、特に制限はなく、目的に応じて適宜選択することができ、例えば、ポリプロピレン、ポリエチレンテレフタレート、ポリオレフィンなどが挙げられる。
なお、シール３０は、ウェル１０における一端開口部と接する面に粘着性を有するようにしてもよい。
【００３４】
カバープレート４０は、プレート２０の各貫通孔２０ａに対し、貫通孔２０ａと同心円であり、貫通孔２０ａよりも径が大きい貫通孔４０ａがそれぞれ設けられている。貫通孔４０ａの径は、第１の突出部１１の先端を通る円の直径よりも大きいため、貫通孔２０ａにウェル１０を差し込んで装着しても、貫通孔４０ａが第１の突出部１１と接触することはない。
【００３５】
カバープレート４０の形状、構造、大きさは、特に制限はなく、目的に応じて適宜選択することができる。
カバープレート４０の材質としては、特に制限はなく、目的に応じて適宜選択することができ、例えば、半導体、セラミック、金属、ガラス、石英ガラス、プラスチックなどが挙げられる。これらの中でも、作製が容易な点からプラスチックが好ましい。
【００３６】
貫通孔４０ａの形状、構造、大きさとしては、第１の突出部１１の先端を通る円の直径よりも大きければ特に制限はなく、目的に応じて適宜選択することができるが、各貫通孔４０ａの形状をいずれも同様にすることが好ましい。各貫通孔４０ａの形状をいずれも同様にすると、開口部１０ａにかかるシール３０の張力も同様になり、均一に密封される点で有利である。
なお、ウェル１０の開口部にかかるシール３０の張力を調整するために、プレート２０がウェル１０を保持した際のプレート２０からウェル１０の高さ、シール３０の材質、貫通孔４０ａの位置、形状、大きさなどを変更してもよい。
【００３７】
このように、第３の実施形態では、図５Ａ中矢印で示す方向にプレート２０の下からウェル１０を差し込むと、図５Ｂに示すように、ウェル１０の上部の開口部１０ａによりシール３０が押し上げられて張架された状態になり、開口部１０ａが密封される。
これにより、第３の実施形態の容器の一体化キットは、ウェル単位で任意に組合せが可能な上、ウェル毎に密封作業をすることなく、市販のＰＣＲ反応用サーマルサイクラーで検査可能なプレートを容易に作成することができる。
【００３８】
（第４の実施形態）
第４の実施形態の容器の一体化キットは、第３の実施形態のウェル１０をプレート２０が保持する構造を、ウェル１０の上部の外面において、貫通孔２０ａの周縁部２０ｂに係合可能な係合構造に変更した。すなわち、ウェル１０は、プレート２０における周縁部２０ｂに対し、回動により着脱可能にする係合部１４を有する。
【００３９】
図６Ａ及び図６Ｂは、第４の実施形態の容器の一体化キットを示す説明図である。図７Ａ及び図７Ｂは、第４の実施形態の係合構造を示す拡大上面図である。
図６Ａ及び図６Ｂ並びに図７Ａ及び図７Ｂに示すように、第４の実施形態のウェル１０は、第２の実施形態で示した環状突出部１３を有し、環状突出部１３の上に２つの係合部１４を更に有することで、ウェル１０側の係合構造が構成されている。２つの係合部１４は、ウェル１０の軸に対し対向する位置に配されている。
また、プレート２０の周縁部２０ｂには、ウェル１０の係合部１４と係合可能な段差２０ｄが設けられている。
図６Ａに示すように、ウェル１０を差し込んで図６Ａ中矢印Ｒで示す方向に回すことにより、図６Ｂに示すように、段差２０ｄに係合部１４が係合され、シール３０の張架による下方向の力に対してもウェル１０がより強固に、かつ開口部１０ａが水平を保ちながら保持される。これにより、第４の実施形態では、第３の実施形態よりも開口部１０ａをシール３０の張架により密封しやすくなる。
【００４０】
（第５の実施形態）
第５の実施形態の容器の一体化キットは、ウェル１０がプレート２０における貫通孔の外縁に密接可能な密接手段を有する。すなわち、図８Ａ及び図８Ｂに示すように、第５の実施形態のウェル１０は、第２の実施形態で示した環状突出部１３を有し、密接手段としての小片シール３１で開口部１０ａを覆ったままで貫通孔２０ａに差し込まれ、開口部１０ａを密封するとともに保持される。すなわち、密接手段としての小片シール３１は、開口部１０ａを密封するとともに、ウェル１０自体を保持するために用いられる。また、本実施例では、貫通孔２０ａの内径と開口部１０ａの外径との差は、小片シール３１の厚さの２倍よりも小さい。このため、第５の実施形態では、ウェル１０を貫通孔２０ａに差し込んで装着すると、開口部１０ａの周面に貼られた小片シール３１が一部変形し、貫通孔２０ａの内壁と小片シール３１との間に強い摩擦力が生じることから、ウェル１０を密閉するとともに保持することができる。
【００４１】
なお、図９に示すように、第５の実施形態において、小片シール３１を第３の実施形態のシール３０及びカバープレート４０に代え、小片シール３１を介さずに、ウェル１０を貫通孔２０ａに嵌合させて装着する態様にすることもできる。すなわち、プレート２０にシール３０及びカバープレート４０を積層され、ウェル１０が、プレート２０における周縁部２０ｂに対し、嵌合により着脱可能にする嵌合部を有するようにしてもよい。嵌合部としては、例えば、ウェル１０の周側面などが挙げられる。
【００４２】
（第６の実施形態）
第６の実施形態の容器の一体化キットは、ウェル１０がその内部に収容される収容物に関する情報を表示可能な情報表示手段を更に有する。
【００４３】
情報表示手段としては、特に制限はなく、適宜選択することができ、例えば、色分け、バーコード、ＱＲコード（登録商標）、Ｒａｄｉｏ  Ｆｒｅｑｕｅｎｃｙ  Ｉｄｅｎｔｉｆｉｅｒ（以下、「ＲＦＩＤ」とも称することがある）などが挙げられる。
【００４４】
具体的には、情報表示手段が色分けであれば、図９Ａに示すように、ウェルの一部に色付けしてもよい。一部を色付けたは、色ごとにウェルに収容する収容物を識別できるようにする。また、プレート２０が透明であれば、一部を色付けたウェルをプレート２０に装着して１枚のマイクロプレートを製造すると、マイクロプレートの上からでも色でウェルの収容物を識別することができる。
また、情報表示手段がバーコードであれば、図９Ｂに示すように、ウェル１０に貼付したバーコードを読み込むことで、例えば、ウェル１０に予め収容された試薬の種類や核酸に関する情報を判別することができる。なお、核酸に関する情報としては、例えば、目的の塩基配列のコピー数の情報や、その他、例えば、分析結果（発光強度等）、核酸の種類、測定日時、測定者の氏名などの情報が挙げられる。
【００４５】
このように、第６の実施形態の容器の一体化キットは、情報表示手段を更に有することにより、ウェル１０の収容物に関する情報を得ることができるため、ウェルの収容物を識別することができる。
【００４６】
以上説明したように、本発明の容器の一体化キットは、目的に応じて、容器保持具の貫通孔に差し込まれた複数の容器を保持することにより複数の容器を一体化させることができるため、容器の取扱いを容易にさせ、作業の効率を向上させることができる。
また、本発明の容器の一体化キットは、容器の第１の突出部が容器保持具における貫通孔の外縁よりも外側に突出するように設けられているため、容器を貫通孔に差し込むと第１の突出部が貫通孔に突き当たることにより、所定の位置で容器を保持することができる。
さらに、本発明の容器の一体化キットは、それぞれ既知の濃度の試薬が予め入れてあるウェルを組み合わせてマイクロプレートを作成することができるため、作業効率を向上させることができる。
【００４７】
本発明の容器の一体化キットは、バイオ関連産業、ライフサイエンス産業、及び医療産業等において幅広く使用され、例えば、装置構成や感染症の検量線作成などの標準プレート等に好適に用いることができる。
【００４８】
本発明の態様としては、例えば、以下のとおりである。
＜１＞  一端が閉塞されている容器の複数と、
貫通孔を有し、前記容器を保持可能な保持部を複数有する容器保持具と、
を有する容器の一体化キットであって、
前記容器が、前記容器保持具における前記保持部で保持された際、
前記容器保持具における前記貫通孔の外縁よりも外側に突出するように設けられた、
第１の突出部と、
前記第１の突出部と離接して設けられ、前記第１の突出部と共に前記容器保持具を      挟持可能な第２の突出部と、
を有することを特徴とする容器の一体化キットである。
＜２＞  前記第２の突出部が、前記第１の突出部よりも前記容器における一端開口部に近い位置に設けられた前記＜１＞に記載の容器の一体化キットである。
＜３＞  一端が閉塞されている容器の複数と、
貫通孔を有し、前記容器を保持可能な保持部を複数有する容器保持具と、
を有する容器の一体化キットであって、
前記容器が、前記容器保持具における前記保持部に対し、回動により着脱可能にする係合部を有することを特徴とする容器の一体化キットである。
＜４＞  一端が閉塞されている容器の複数と、
貫通孔を有し、前記容器を保持可能な保持部を複数有する容器保持具と、
を有する容器の一体化キットであって、
前記容器が、前記容器保持具における前記保持部に対し、嵌合により着脱可能にする嵌合部を有することを特徴とする容器の一体化キットである。
＜５＞  前記容器における閉塞された一端の形状が、略ドーム形状である前記＜１＞から＜４＞のいずれかに記載の容器の一体化キットである。
＜６＞  前記容器が、マイクロプレートに用いられるウェル容器である前記＜１＞から＜５＞のいずれかに記載の容器の一体化キットである。
＜７＞  前記容器保持具が、平板状プレートである前記＜１＞から＜６＞のいずれかに記載の容器の一体化キットである。
＜８＞  前記容器保持具における複数の前記保持部が列状に配された前記＜１＞から＜７＞のいずれかに記載の容器の一体化キットである。
＜９＞  前記容器保持具が、
前記容器を保持する際、前記容器における一端開口部を閉塞可能なシール手段を更に有する前記＜１＞から＜８＞のいずれかに記載の容器の一体化キットである。
＜１０＞  前記容器が、その内部に収容される収容物に関する情報を表示可能な情報表示手段を更に有する前記＜１＞から＜９＞のいずれかに記載の容器の一体化キット。
＜１１＞  前記容器保持具が、前記保持部に保持される前記容器に収容される収容物に関する情報を表示可能な情報表示手段を更に有する前記＜１＞から＜１０＞のいずれかに記載の容器の一体化キットである。
＜１２＞  前記＜１＞から＜１１＞のいずれかに記載の容器の一体化キットに用いられることを特徴とする容器である。
＜１３＞  前記容器の周側面よりも外側に突出するように設けられた、
第１の突出部と、
前記第１の突出部と離接して設けられた第２の突出部と、
を有する前記＜１２＞に記載の容器である。
＜１４＞  前記＜１＞から＜１１＞のいずれかに記載の容器の一体化キットに用いられることを特徴とする容器保持具である。
【００４９】
前記＜１＞から＜１１＞のいずれかに記載の容器の一体化キット、前記＜１２＞から＜１３＞のいずれかに記載の容器、及び前記＜１４＞のいずれかに記載の容器保持具によれば、従来における前記諸問題を解決し、前記本発明の目的を達成することができる。
【先行技術文献】
【特許文献】
【００５０】
【特許文献１】特表２０１４−５２８５７７号公報
【特許文献２】特開２００７−１７１１６９号公報
【符号の説明】
【００５１】
１    容器の一体化キット
１０    ウェル（容器）
１０ａ  開口部
１１    第１の突出部
１２    第２の突出部
１３    環状突出部
１４    係合部
２０    プレート（容器保持具）
２０ａ  貫通孔
２０ｂ  周縁部（保持部）
２０ｃ  傾斜付き周縁部
２０ｄ  段差（係合構造）
３０    シール（シール手段）
３１    小片シール
４０    カバープレート
４０ａ  貫通孔
Ｂ    バーコード（情報表示手段）
【図１Ａ】
2019162579.tif 000003
【図１Ｂ】
2019162579.tif 000004
【図２Ａ】
2019162579.tif 000005
【図２Ｂ】
2019162579.tif 000006
【図３】
2019162579.tif 000007
【図４Ａ】
2019162579.tif 000008
【図４Ｂ】
2019162579.tif 000009
【図５Ａ】
2019162579.tif 000010
【図５Ｂ】
2019162579.tif 000011
【図６Ａ】
2019162579.tif 000012
【図６Ｂ】
2019162579.tif 000013
【図７Ａ】
2019162579.tif 000014
【図７Ｂ】
2019162579.tif 000015
【図８Ａ】
2019162579.tif 000016
【図８Ｂ】
2019162579.tif 000017
【図９】
2019162579.tif 000018
【図１０Ａ】
2019162579.tif 000019
【図１０Ｂ】
2019162579.tif 000020